(57)【要約】【課題】ネットワークを介して映像表示装置に接続されたコンピュータから画像データを送信して、その画像データに基づく映像を、映像表示装置を用いて表示させようとするユーザの利便性を向上させることができる映像表示システムを提供する。【解決手段】映像表示システム１は、ネットワーク設定情報に基づいて画像データを送信するコンピュータ２と、映像を表示するプロジェクタ３とを備え、ネットワークを介してコンピュータ２とプロジェクタ３が接続される。コンピュータ２がＵＳＢメモリ４内のプログラムを読み取り可能になったとき（即ち、コンピュータ２にＵＳＢメモリ４が接続されたとき）に、コンピュータ２は、所定のネットワーク設定情報をプロジェクタ３に接続されるためのネットワーク設定情報に変更するためのネットワーク設定変更プログラムと、プロジェクタ３へ画像データを送信するための画像データ転送プログラムの双方を実行する。【選択図】図２
2010268238.tif 000002
【特許請求の範囲】
【請求項１】
所定のネットワーク設定情報に基づいて画像データを送信するコンピュータと、前記画像データに基づいて映像を表示する映像表示装置とを備え、ネットワークを介して前記コンピュータと前記映像表示装置が接続される映像表示システムであって、
前記コンピュータは、記憶媒体に記憶されたネットワーク設定変更プログラム及び画像データ転送プログラムを読み取り、
前記コンピュータが前記記憶媒体内のプログラムを読み取り可能になったときに、前記コンピュータは、前記記憶媒体内の前記ネットワーク設定変更プログラムと前記画像データ転送プログラムの双方を実行し、
前記コンピュータは、前記ネットワーク設定変更プログラムを実行することにより、前記所定のネットワーク設定情報を、前記映像表示装置に接続されるためのネットワーク設定情報に変更するとともに、前記画像データ転送プログラムを実行することにより、前記映像表示装置に接続されるための前記ネットワーク設定情報に基づいて、前記映像表示装置へ前記画像データを送信する
ことを特徴とする映像表示システム。
【請求項２】
前記画像データ転送プログラムには、前記コンピュータと接続されている前記映像表示装置を検索する検索プログラムが含まれていることを特徴とする請求項１に記載の映像表示システム。
【請求項３】
前記映像表示装置は所定のネットワーク受信設定情報を有しており、
前記記憶媒体には、前記所定のネットワーク受信設定情報を変更する受信設定変更プログラムが記憶されており、
前記映像表示装置が前記記憶媒体内のプログラムを読み取り可能になったときに、前記映像表示装置は、前記記憶媒体内の前記受信設定変更プログラムを実行し、
前記映像表示装置は、前記受信設定変更プログラムを実行することにより、前記所定のネットワーク受信設定情報を、前記コンピュータから送信された前記画像データを受信するためのネットワーク受信設定情報に変更する
ことを特徴とする請求項１または請求項２に記載の映像表示システム。
【請求項４】
前記記憶媒体は、不揮発性の半導体メモリであることを特徴とする請求項１乃至請求項３のいずれか一項に記載の映像表示システム。
【請求項５】
前記コンピュータ及び前記映像表示装置には、前記記憶媒体が接続される汎用の接続端子が設けられていることを特徴とする請求項４に記載の映像表示システム。
【請求項６】
前記コンピュータは画像を表示する表示部を備えており、
前記表示部には、前記コンピュータから前記映像表示装置に転送される前記画像データの転送速度を示す画像が表示されることを特徴とする請求項１乃至請求項５のいずれか一項に記載の映像表示システム。
【請求項７】
前記画像データは、所定のデータ量を有するファイルとして転送され、
前記ファイルのデータ量と、前記ファイルを転送するために要した時間とに基づいて、前記画像データの転送速度を算出することを特徴とする請求項６に記載の映像表示システム。
【請求項８】
前記記憶媒体には、前記画像データの転送速度を算出する転送速度算出プログラムが記憶されていることを特徴とする請求項６または請求項７に記載の映像表示システム。
【発明の詳細な説明】
【技術分野】
【０００１】
本願発明は、ネットワークを介してコンピュータと映像表示装置が接続される映像表示システムに関するものである。
【背景技術】
【０００２】
一般に、コンピュータから、有線または無線により、映像表示装置であるプロジェクタへ画像データを転送し、プロジェクタを用いて映像を表示させることが知られている（例えば、特許文献１参照）。
【０００３】
また、近年、ネットワークを介してコンピュータから遠隔のプロジェクタへ画像データを転送することが知られている。このような場合には、ネットワークを介してコンピュータとプロジェクタとを接続するために、コンピュータが有する所定のネットワーク設定情報を、プロジェクタ接続用のネットワーク設定情報に変更する必要がある。
【０００４】
特許文献１においては、ユーザによる無線設定情報の変更作業を容易に行うことができるように、無線デバイスがコンピュータに接続されると、無線設定情報を変更するためのプログラムや画像データを転送するためのプログラムがインストールされるように構成することが記載されている。
【先行技術文献】
【特許文献】
【０００５】
【特許文献１】特開２００８−１６５００７号公報（段落［００４８］）
【発明の概要】
【発明が解決しようとする課題】
【０００６】
しかしながら、上記特許文献１に記載されるシステムにおいては、無線設定情報を変更するためのプログラムや画像データを転送するために、上記のプログラムをインストールする必要があり、インストールをするための時間やコンピュータにおける記憶部の空き容量が必要となり、結果的に画像データの転送を容易に行うことができない場合があった。
【０００７】
本発明は、こうした実情に鑑みてなされたものであり、ネットワークを介して映像表示装置に接続されたコンピュータから画像データを送信して、その画像データに基づく映像を、映像表示装置を用いて表示させようとするユーザの利便性を向上させることができる映像表示システムを提供することにある。
【課題を解決するための手段】
【０００８】
請求項１に記載の発明は、所定のネットワーク設定情報に基づいて画像データを送信するコンピュータと、画像データに基づいて映像を表示する映像表示装置とを備え、ネットワークを介してコンピュータと映像表示装置が接続される映像表示システムであって、コンピュータは、記憶媒体に記憶されたネットワーク設定変更プログラム及び画像データ転送プログラムを読み取り、コンピュータが記憶媒体内のプログラムを読み取り可能になったときに、コンピュータは、記憶媒体内のネットワーク設定変更プログラムと画像データ転送プログラムの双方を実行し、コンピュータは、ネットワーク設定変更プログラムを実行することにより、所定のネットワーク設定情報を、映像表示装置に接続されるためのネットワーク設定情報に変更するとともに、画像データ転送プログラムを実行することにより、映像表示装置に接続されるためのネットワーク設定情報に基づいて、映像表示装置へ画像データを送信することを特徴とする。
【０００９】
同構成によれば、コンピュータが記憶媒体内のプログラムを読み取り可能になったとき（例えば、コンピュータに記憶媒体が接続されたとき）に、記憶媒体内のネットワーク設定変更プログラムと画像データ転送プログラムの双方がコンピュータによって実行される。そして、ネットワーク設定変更プログラムと画像データ転送プログラムとが実行されることにより、コンピュータが有する所定のネットワーク設定情報が、映像表示装置に接続されるためのネットワーク設定情報に変更され、このネットワーク設定情報に基づいて、コンピュータから映像表示装置へ画像データが送信される。このため、例えばコンピュータに記憶媒体が接続されると、コンピュータが有するネットワーク設定情報が、映像表示装置に接続されるためのネットワーク設定情報となるだけでなく、このネットワーク設定情報に基づいて、コンピュータから映像表示装置へ画像データが送信される。従って、コンピュータから映像表示装置への画像データの転送を容易に行うことができる。その結果、ネットワークを介して映像表示装置に接続されたコンピュータから画像データを送信して、その画像データに基づく映像を、映像表示装置を用いて表示させようとするユーザの利便性を向上させることができる。
【００１０】
請求項２に記載の発明は、請求項１に記載の映像表示システムにおいて、画像データ転送プログラムには、コンピュータと接続されている映像表示装置を検索する検索プログラムが含まれていることを特徴とする。
【００１１】
同構成によれば、画像データ転送プログラムには、コンピュータと接続されている映像表示装置を検索する検索プログラムが含まれている。このため、複数の機器がネットワークを介してコンピュータと接続されている場合であっても、コンピュータは、画像データ転送プログラムを実行することにより、ネットワークを介して接続された画像データの転送先となる映像表示装置を検出することができる。
【００１２】
請求項３に記載の発明は、請求項１または請求項２に記載の映像表示システムにおいて、映像表示装置は所定のネットワーク受信設定情報を有しており、記憶媒体には、所定のネットワーク受信設定情報を変更する受信設定変更プログラムが記憶されており、映像表示装置が記憶媒体内のプログラムを読み取り可能になったときに、映像表示装置は、記憶媒体内の受信設定変更プログラムを実行し、映像表示装置は、受信設定変更プログラムを実行することにより、所定のネットワーク受信設定情報を、コンピュータから送信された画像データを受信するためのネットワーク受信設定情報に変更することを特徴とする。
【００１３】
同構成によれば、映像表示装置が記憶媒体内のプログラムを読み取り可能になったとき（例えば、映像表示装置に記憶媒体が接続されたとき）に、記憶媒体内の受信設定変更プログラムが映像表示装置によって実行される。そして、受信設定変更プログラムが実行されることにより、映像表示装置が有する所定のネットワーク受信設定情報が、コンピュータから送信された画像データを受信するためのネットワーク受信設定情報に変更される。このため、例えば映像表示装置に記憶媒体が接続されると、映像表示装置が有するネットワーク受信設定情報が、コンピュータから送信された画像データを受信するためのネットワーク受信設定情報となる。従って、コンピュータから映像表示装置への画像データを転送する際に、映像表示装置が有するネットワーク受信設定情報を変更する必要がある場合であっても、記憶媒体を用いて、ネットワーク受信設定情報を容易に変更することができる。その結果、ネットワークを介して映像表示装置に接続されたコンピュータから画像データを送信して、その画像データに基づく映像を、映像表示装置を用いて表示させようとするユーザの利便性をより向上させることができる。
【００１４】
請求項４に記載の発明は、請求項１乃至請求項３のいずれか一項に記載の映像表示システムにおいて、記憶媒体は、不揮発性の半導体メモリであることを特徴とする。
同構成によれば、記憶媒体は、不揮発性の半導体メモリであるため、例えばＵＳＢメモリ等により記憶媒体を構成することができ、記憶媒体がＣＤ−ＲＯＭである場合に比べて、記憶媒体の持ち運びや取り扱いを容易に行うことを可能とすることができる。
【００１５】
請求項５に記載の発明は、請求項４に記載の映像表示システムにおいて、コンピュータ及び映像表示装置には、記憶媒体が接続される汎用の接続端子が設けられていることを特徴とする。
【００１６】
同構成によれば、コンピュータ及び映像表示装置には、記憶媒体が接続される汎用の接続端子（例えば、ＵＳＢコネクタ）が設けられているため、記憶媒体が接続されるための専用の接続端子をコンピュータ及び映像表示装置に設けることを不要とすることができる。
【００１７】
請求項６に記載の発明は、請求項１乃至請求項５のいずれか一項に記載の映像表示システムにおいて、コンピュータは画像を表示する表示部を備えており、表示部には、コンピュータから映像表示装置に転送される画像データの転送速度を示す画像が表示されることを特徴とする。
【００１８】
同構成によれば、コンピュータは画像を表示する表示部を備えており、表示部には、コンピュータから映像表示装置に転送される画像データの転送速度を示す画像が表示されるため、コンピュータの表示部によりユーザは画像データの転送速度を確認することができる。
【００１９】
請求項７に記載の発明は、請求項６に記載の映像表示システムにおいて、画像データは、所定のデータ量を有するファイルとして転送され、ファイルのデータ量と、ファイルを転送するために要した時間とに基づいて、画像データの転送速度を算出することを特徴とする。
【００２０】
同構成によれば、画像データは、所定のデータ量を有するファイルとして送信され、ファイルのデータ量と、ファイルを転送するために要した時間とに基づいて、画像データの転送速度を算出する。このため、ファイルを転送するために要した時間でファイルのデータ量を割ることにより画像データの転送速度を算出することができ、ファイル単位ごとに転送速度を算出することができる。
【００２１】
請求項８に記載の発明は、請求項６または請求項７に記載の映像表示システムにおいて、記憶媒体には、画像データの転送速度を算出する転送速度算出プログラムが記憶されていることを特徴とする。
【００２２】
同構成によれば、記憶媒体には、画像データの転送速度を算出する転送速度算出プログラムが記憶されているため、コンピュータは、記憶媒体内の転送速度算出プログラムを実行することにより、画像データの転送速度を算出することができる。
【発明の効果】
【００２３】
本発明によれば、ネットワークを介して映像表示装置に接続されたコンピュータから画像データを送信して、その画像データに基づく映像を、映像表示装置を用いて表示させようとするユーザの利便性を向上させることができる。
【図面の簡単な説明】
【００２４】
【図１】本発明の実施形態に係る映像表示システムの構成を示すブロック図。
【図２】同実施形態に係る映像表示システムを構成するコンピュータ、映像表示装置、及び記憶媒体を示す斜視図。
【図３】同実施形態に係るコンピュータの構成を示すブロック図。
【図４】同実施形態に係る映像表示装置の構成を示すブロック図。
【図５】同実施形態に係る記憶媒体の構成を示すブロック図。
【図６】画像データの転送に係るコンピュータの動作の流れを示すフローチャート。
【図７】転送速度の表示に係るコンピュータの動作の流れを示すフローチャート。
【図８】記憶媒体が接続された映像表示装置を示す斜視図。
【図９】ネットワーク受信設定情報の変更に係る映像表示装置の動作の流れを示すフローチャート。
【発明を実施するための形態】
【００２５】
以下、本発明の実施形態について、図面を参照しながら説明する。
図１に示すように、本実施形態に係る映像表示システム１は、コンピュータ２と、映像表示装置としてのプロジェクタ３とを備えており、コンピュータ２とプロジェクタ３は、有線ネットワークまたは無線ネットワークまたは有線と無線とを組み合わせたネットワークを介して接続されている。
【００２６】
なお、無線を用いたコンピュータ２とプロジェクタ３との通信における通信モードは、図１に示すようにアクセスポイントＡを経由して通信を行うインフラストラクチャ・モードであってもよく、アクセスポイントＡを用いずに直接通信を行うアドホック・モードであってもよい。
【００２７】
このように構成された映像表示システムにおいて、コンピュータ２から所望のプロジェクタ３へ画像データを転送することによって、プロジェクタ３により映像が拡大して表示される。
【００２８】
図２に示すように、コンピュータ２は、汎用の電子計算機であるＰＣ（Personal Computer）であって、例えばノートパソコンと呼ばれるラップトップコンピュータである。コンピュータ２は、主記憶装置や補助記憶装置に記憶されたプログラムに基づいて動作する。なお、本実施形態において、コンピュータ２と接続されるプロジェクタ３は、複数のプロジェクタ３Ａ，３Ｂ，３Ｃであるが、コンピュータ２による画像データの転送先のプロジェクタ３は１台のプロジェクタ３Ａであるとする。
【００２９】
図３に示すように、コンピュータ２は、ユーザにより操作される操作部２１、システムソフトウェア等のプログラムが記憶された記憶部２２、時間を計測するための計時部２３、補助記憶装置を駆動する補助記憶装置駆動部２４、画像を表示するディスプレイである表示部２５、及びコンピュータ２の各部を制御する制御部２６を備えている。
【００３０】
制御部２６は、ＣＰＵ（Central Processing Unit）であって、キーボードやマウス等の入力装置である操作部２１からの信号や、ハードディスクドライブ等の記憶装置である記憶部２２に記憶されたプログラムに基づいて、コンピュータ２の各種動作を制御する。
【００３１】
また、制御部２６は、コンピュータ２内部のタイマである計時部２３を用いて時間を計測することや、ＣＤ−ＲＯＭドライブ等の光学ドライブである補助記憶装置駆動部２４により記憶媒体に記憶された情報を読み取ることができる。
【００３２】
また、本実施形態においては、コンピュータ２は、ＵＳＢメモリ４が接続可能なＵＳＢコネクタである汎用の接続端子２７と、プロジェクタ３と通信を行うための通信モジュールである通信部２８とを備えている。制御部２６は、接続端子２７に接続されたＵＳＢメモリ４に記憶されている情報を読み取る制御や、通信部２８を用いてプロジェクタ３と通信するための制御を行う。
【００３３】
また、コンピュータ２は、所定のネットワーク設定情報を記憶部２２に記憶しており、コンピュータ２の制御部２６は、このネットワーク設定情報に基づいて通信部２８を用いてネットワーク上の機器と通信を行う。ネットワーク設定情報は、例えば、通信の規格種別、ネットワークモード、ネットワークグループ、ＩＰアドレス、サブネットマスク、ＤＮＳアドレス等の情報である。
【００３４】
コンピュータ２の制御部２６は、表示部２５に表示する画像をネットワーク上のプロジェクタ３を用いて拡大して表示するために、ネットワーク設定情報に基づき通信部２８にネットワーク上の機器へ画像データを送信させる。このようにして、コンピュータ２から画像データが転送される。
【００３５】
また、図２に示すように、プロジェクタ３は、映像を投写して表示する投写型映像表示装置である。プロジェクタ３は、コンピュータ２と同様に、主記憶装置や補助記憶装置に記憶されたプログラムに基づいて動作する。なお、ネットワークを介してコンピュータ２と接続される複数のプロジェクタ３Ａ，３Ｂ，３Ｃはネットワーク受信設定情報を除いて同じ構成を有している。
【００３６】
図４に示すように、プロジェクタ３は、ユーザにより操作される操作部３１、システムソフトウェア等のプログラムが記憶された記憶部３２、光を出射するランプ等からなる光源装置３３、出射された光から映像を生成する映像生成部３４、映像を拡大して表示するための投写レンズ３５、及びプロジェクタ３の各部を制御する制御部３６を備えている。
【００３７】
制御部３６は、ＣＰＵやマイコンであって、ボタン等を備えた入力装置である操作部３１からの信号や、半導体メモリ等の記憶装置である記憶部３２に記憶されたプログラムに基づいて、プロジェクタ３の各種動作を制御する。
【００３８】
また、制御部３６は、プロジェクタ３の外部から入力される画像データに基づいて、映像生成部３４において画像を形成する。映像生成部３４は、例えば、ドットマトリクス型のライトバルブである液晶パネルや、微小鏡を格子状に配列したＤＭＤ（Digital Micromirror Device）であり、光源装置３３から出射された光が、液晶パネルを透過したりＤＭＤで反射されたりすることにより映像が生成される。
【００３９】
また、本実施形態においては、プロジェクタ３は、コンピュータ２と通信を行うための通信モジュールである通信部３７と、ＵＳＢメモリ４が接続可能なＵＳＢコネクタである汎用の接続端子３８とを備えている。制御部３６は、通信部３７を用いてコンピュータ２と通信するための制御や、接続端子３８に接続されたＵＳＢメモリ４に記憶されている情報を読み取る制御を行う。
【００４０】
また、プロジェクタ３は、所定のネットワーク受信設定情報を記憶部３２に記憶しており、プロジェクタ３Ａが有するネットワーク受信設定情報は、コンピュータ２が転送しようとする画像データの転送先に対応している。具体的には、ネットワーク受信設定情報は、例えば、ネットワークグループ、ＩＰアドレス、サブネットマスク等の情報である。
【００４１】
プロジェクタ３の制御部３６は、ネットワーク上の機器から送信された画像データを通信部３７に受信させて、受信した画像データに基づいて、制御部３６は映像生成部３４において画像を形成することにより、プロジェクタ３から映像が表示される。
【００４２】
コンピュータ２及びプロジェクタ３に接続可能なＵＳＢメモリ４は、所定のプログラムやデータ等の情報を記憶する電子的な記憶媒体であって、不揮発性の半導体メモリである。具体的には、ＵＳＢメモリ４は、Universal Serial Busを用いて情報の読み書きを行う補助記憶装置であって、ＵＳＢコネクタ（即ち、接続端子４１）がケーブルを介さず補助記憶装置の本体に直接設けられているフラッシュドライブである。
【００４３】
図５に示すように、ＵＳＢメモリ４は、コンピュータ２の接続端子２７や接続端子３８に接続可能な接続端子４１と、プログラムやデータ等の情報を記憶可能な記憶部４２と、記憶部４２への読み書きを制御する制御部４３とを備えている。
【００４４】
コンピュータ２の接続端子２７とＵＳＢメモリ４の接続端子４１とが接続されてコンピュータ２にＵＳＢメモリ４が接続されると、コンピュータ２の制御部２６は、ＵＳＢメモリ４の制御部４３を介して、ＵＳＢメモリ４の記憶部４２に記憶されている情報等を読み取ることが可能となる。
【００４５】
同様に、プロジェクタ３の接続端子３８とＵＳＢメモリ４の接続端子４１とが接続されてプロジェクタ３にＵＳＢメモリ４が接続されると、プロジェクタ３の制御部３６は、ＵＳＢメモリ４の制御部４３を介して、ＵＳＢメモリ４の記憶部４２に記憶されている情報等を読み取ることが可能となる。
【００４６】
ＵＳＢメモリ４の記憶部４２には、ユーザが利用する前における工場出荷時に、ネットワーク設定変更プログラム及び画像データ転送プログラムが予め記憶されており、コンピュータ２にＵＳＢメモリ４を接続することにより、コンピュータ２はこれらのプログラムを実行することが可能となる。
【００４７】
以上のように、本実施形態に係る映像表示システム１は、所定のネットワーク設定情報に基づいて画像データを転送するコンピュータ２と、画像データに基づいて映像を表示するプロジェクタ３とを備え、ネットワークを介してコンピュータ２とプロジェクタ３Ａ，３Ｂ，３Ｃが接続されている。
【００４８】
ここで、本実施形態においては、コンピュータ２がＵＳＢメモリ４内のプログラムを読み取り可能となったときに、コンピュータ２がＵＳＢメモリ４内のネットワーク設定変更プログラムと画像データ転送プログラムの双方を自動的に実行することに特徴がある。
【００４９】
コンピュータ２は、ネットワーク設定変更プログラムを実行することにより、コンピュータ２が有するネットワーク設定情報を、プロジェクタ３Ａに接続されるためのネットワーク設定情報に変更する。
【００５０】
具体的には、コンピュータ２の制御部２６が、ＵＳＢメモリ４の記憶部４２に記憶されているネットワーク設定変更プログラムを実行することにより、記憶部２２に記憶されているコンピュータ２のネットワークグループやＩＰアドレスを、プロジェクタ３Ａに接続されるためのネットワーク設定情報に変更する。
【００５１】
さらに、コンピュータ２は、画像データ転送プログラムを実行することにより、プロジェクタ３に接続されるためのネットワーク設定情報に基づいて、プロジェクタ３へ画像データを送信する。
【００５２】
具体的には、コンピュータ２の制御部２６が、ＵＳＢメモリ４の記憶部４２に記憶されている画像データ転送プログラムを実行することにより、プロジェクタ３Ａに接続されるためのネットワーク設定情報に基づき通信部２８にネットワーク上のプロジェクタ３Ａへ画像データを送信させる。
【００５３】
以上のようにコンピュータ２に記憶媒体が接続されることによってプログラムが自動的に実行される方法としては、例えば、システムソフトウェアの機能や、また記憶媒体内のプログラムを自動的に実行するためのアプリケーションソフトウェアを用いることが挙げられる。コンピュータ２に記憶媒体が接続されることによってプログラムが自動的に実行されるシステムソフトウェアの機能としては、ＷＩＮＤＯＷＳ（登録商標）においてはオートラン機能が知られている。
【００５４】
また、本実施形態においては、画像データ転送プログラムには、コンピュータ２と接続されているプロジェクタ３Ａを検索する検索プログラムが含まれている。即ち、この検索プログラムは、画像データの転送先となるプロジェクタ３Ａがネットワーク上にあるか否かを判断するためのプログラムであって、このようなプログラムにより複数のプロジェクタ３Ａ，３Ｂ，３Ｃが接続されている場合であっても、所望のプロジェクタ３Ａを検出して、そのプロジェクタ３Ａへ画像データを転送することができる。
【００５５】
図６を参照しながらネットワーク設定変更プログラム及び画像データ転送プログラムを実行するコンピュータ２の動作の流れを説明する。
まず、コンピュータ２の制御部２６が、ＵＳＢメモリ４がコンピュータ２に接続されたことを検出すると、ＵＳＢメモリ４の記憶部４２に記憶されているネットワーク設定変更プログラムを実行する（ステップＳ１）。
【００５６】
ネットワーク設定変更プログラムの実行に伴い、コンピュータ２におけるネットワーク設定情報が、プロジェクタ接続用のネットワーク設定情報に変更される（ステップＳ２）。即ち、ステップＳ２においては、コンピュータ２の制御部２６が、記憶部２２に記憶されているネットワーク設定情報を、プロジェクタ接続用のネットワーク設定情報に変更する。具体的には、例えば、コンピュータ２のＩＰアドレスが強制的に「１９２．１６８．１．２」に変更されるとともに、サブネットマスクが強制的に「２５５．２５５．０．０」に変更される。
【００５７】
次いで、ネットワーク設定情報の変更が終了したことに基づいて、コンピュータ２の制御部２６が、ＵＳＢメモリ４の記憶部４２に記憶されている画像データ転送プログラムを実行する（ステップＳ３）。
【００５８】
画像データ転送プログラムの実行に伴い、コンピュータ２の制御部２６が、画像データ転送プログラムに含まれている検索プログラムを実行する（ステップＳ４）。検索プログラムの実行に伴い、コンピュータ２の制御部２６は、通信部２８を介して、例えば同じネットワークグループにおいてネットワーク受信設定情報として「１９２．１６８．０．２」のＩＰアドレスを有するプロジェクタ３Ａを検索する。
【００５９】
次いで、コンピュータ２の制御部２６が、検索プログラムを実行した結果、ネットワーク上において画像データの転送先となるプロジェクタ３Ａを検出できたか否かを判断する（ステップＳ５）。
【００６０】
ステップＳ５においてプロジェクタ３Ａが検出できなかったと判断された場合には、ステップＳ２に変更したネットワーク設定情報が、ステップＳ２において変更される前の情報である元のネットワーク設定情報に変更される（ステップＳ６）。ステップＳ６において、元のネットワーク設定情報に変更されると、ネットワーク設定変更プログラム及び画像データ転送プログラムの実行の完了となる。
【００６１】
一方、ステップＳ５においてプロジェクタ３Ａが検出できたと判断された場合には、プロジェクタ３の不使用時には表示部２５に表示する画像のデータが、コンピュータ２の通信部２８により画像データとしてプロジェクタ３Ａに転送される（ステップＳ７）。
【００６２】
画像データが転送された後、コンピュータ２の制御部２６は、コンピュータ２に対して画像データ転送の終了要求があったか否かを逐次判断する（ステップＳ８）。この判断は、操作部２１から制御部２６に入力される信号に基づいて判断することができる。
【００６３】
ステップＳ８において画像データ転送の終了要求があったと判断された場合には、画像データの転送を停止し、ステップＳ２に変更したネットワーク設定情報を、ステップＳ２において変更される前の情報である元のネットワーク設定情報に変更する（ステップＳ６）。
【００６４】
一方、ステップＳ８において画像データ転送の終了要求がないと判断された場合には、コンピュータ２に対して画像データ転送の終了要求があるまで、画像データがプロジェクタ３Ａに転送され続ける。
【００６５】
このようにして、コンピュータ２にＵＳＢメモリ４が接続されることにより、コンピュータ２におけるネットワーク設定情報が自動的に変更されて画像データが転送される。このため、ユーザはＵＳＢメモリ４を用いることにより煩わしい設定を容易に行うことができ、コンピュータ２の表示部２５におけるデスクトップ画像をプロジェクタ３により表示することができる。
【００６６】
また、本実施形態においては、画像データの転送中に、コンピュータ２の表示部２５には、コンピュータ２からプロジェクタ３に転送される画像データの転送速度を示す画像が表示されるように構成している。即ち、転送速度のインジゲータ表示を行うことにより、ユーザがプロジェクタ３に表示される映像を確認することなく、プロジェクタ３の遠隔にいながら転送速度を把握することができるように構成している。
【００６７】
具体的には、ＵＳＢメモリ４の記憶部４２には、画像データの転送速度を算出する転送速度算出プログラムが記憶されており、コンピュータ２は、画像データ転送プログラムとともに、ＵＳＢメモリ４内の転送速度算出プログラムを実行することにより、転送速度を算出してその速度のインジゲータ表示を行う。
【００６８】
図７を参照しながら転送速度算出プログラムを実行したコンピュータ２の動作の流れを説明する。
まず、コンピュータ２が通信部２８を用いて画像データを転送するために、コンピュータ２の制御部２６が、転送しようとする画像データを所定のデータ量（ファイルサイズ）毎に分割して画像転送用ファイルを生成する（ステップＳ１１）。以下、画像転送用ファイルに分割された画像データをファイルデータという。
【００６９】
次いで、コンピュータ２が通信部２８を用いて、ファイルデータをプロジェクタ３に転送する（ステップＳ１２）。即ち、ステップＳ１２においては、画像転送用ファイルが画像データとして転送される。
【００７０】
次いで、コンピュータ２の制御部２６が、ステップＳ１２におけるファイルデータの転送が完了したか否かを判断する（ステップＳ１３）。ファイルデータの転送が完了したか否かの判断は、プロジェクタ３から送信されるＡＣＫを示す信号に基づいて判断することができる。ステップＳ１３において、ステップＳ１２におけるファイルデータの転送が完了していないと判断された場合には、ファイルデータの転送が完了したと判断されるまで、ファイルデータの転送が完了したか否かが判断される。
【００７１】
一方、ステップＳ１３においてファイルデータの転送が完了したと判断された場合、コンピュータ２の制御部２６は、画像転送用ファイルのデータ量と、画像転送用ファイルを転送するために要した時間とに基づいて、画像データの転送速度を算出する（ステップＳ１４）。
【００７２】
そして、コンピュータ２の制御部２６は、算出された転送速度を示す画像（例えば、数字や記号）であるインジゲータを表示部２５に表示させる（ステップＳ１５）。
コンピュータ２はこのような動作を繰り返し行い、転送速度を示す画像（インジゲータ）を表示部２５が表示することにより、画像データ転送中においてユーザはその転送速度を確認することができる。
【００７３】
また、本実施形態においては、コンピュータ２において変更されるネットワーク設定情報と対応させて、プロジェクタ３が有する所定のネットワーク受信設定情報を変更することができるように構成されている。即ち、コンピュータ２から送信された画像データを受信しないネットワーク受信設定情報を工場出荷時において有しているプロジェクタ３Ｂ，３Ｃも、ネットワーク受信設定情報を変更することによりコンピュータ２から画像データを受信することが可能となるように構成されている。
【００７４】
具体的には、ＵＳＢメモリ４の記憶部４２には、プロジェクタ３が有するネットワーク受信設定情報を変更する受信設定変更プログラムが記憶されており、プロジェクタ３がＵＳＢメモリ４内のプログラムを読み取り可能になったときに、プロジェクタ３は、ＵＳＢメモリ４内の受信設定変更プログラムを自動的に実行する。即ち、図８に示すように、プロジェクタ３にＵＳＢメモリ４が接続されたとき、プロジェクタ３はＵＳＢメモリ４内の受信設定変更プログラムを実行する。プロジェクタ３は、受信設定変更プログラムを実行することにより、プロジェクタ３が有する所定のネットワーク受信設定情報を、コンピュータ２から送信された画像データを受信するためのネットワーク受信設定情報に変更する。
【００７５】
図９を参照しながら受信設定変更プログラムを実行するプロジェクタ３の動作の流れを説明する。
まず、プロジェクタ３の制御部３６が接続端子３８へのＵＳＢメモリ４の接続を検出すると、プロジェクタ３の制御部３６はＵＳＢメモリ４の記憶部４２に記憶されている受信設定変更プログラムを実行する（ステップＳ２１）。
【００７６】
受信設定変更プログラムの実行に伴い、プロジェクタ３の制御部３６は、記憶部３２に記憶しているネットワーク受信設定情報を変更する必要があるか否かを判断する（ステップＳ２２）。ネットワーク受信設定情報は、例えば、プロジェクタ３のＩＰアドレスやサブネットマスクである。
【００７７】
ステップＳ２２において、プロジェクタ３が有しているネットワーク受信設定情報と、受信設定変更プログラムによる変更しようとするネットワーク受信設定情報とが異なり、ネットワーク受信設定情報を変更する必要があると判断された場合には、画像データ受信用のネットワーク受信設定情報に変更される（ステップＳ２３）。即ち、ステップＳ２３においては、プロジェクタ３の制御部３６が、記憶部３２に記憶されているネットワーク受信設定情報を、画像データ受信用のネットワーク受信設定情報に変更する。具体的には、例えば、プロジェクタ３のＩＰアドレスが強制的に「１９２．１６８．０．２」に変更されるとともに、サブネットマスクが強制的に「２５５．２５５．０．０」に変更される。
【００７８】
一方、ステップＳ２２において、プロジェクタ３が有しているネットワーク受信設定情報と、受信設定変更プログラムによる変更しようとするネットワーク受信設定情報とが同じであり、ネットワーク受信設定情報を変更する必要がないと判断された場合には、プロジェクタ３が有するネットワーク受信設定情報は変更されない。
【００７９】
このようにして、プロジェクタ３にＵＳＢメモリ４が接続されることにより、プロジェクタ３におけるネットワーク設定情報の変更も自動的に変更されるため、ユーザはＵＳＢメモリ４を用いることにより、煩わしい事前設定を容易に行うことができる。
【００８０】
本実施形態の映像表示システム１によれば、以下の作用効果を奏することができる。
（１）コンピュータ２がＵＳＢメモリ４内のプログラムを読み取り可能になったとき（コンピュータ２にＵＳＢメモリ４が接続されたとき）に、コンピュータ２は、ＵＳＢメモリ４内のネットワーク設定変更プログラムと画像データ転送プログラムの双方を実行する。そして、コンピュータ２は、ネットワーク設定変更プログラムを実行することにより、所定のネットワーク設定情報を、プロジェクタ３に接続されるためのネットワーク設定情報に変更するとともに、画像データ転送プログラムを実行することにより、プロジェクタ３に接続されるためのネットワーク設定情報に基づいて、プロジェクタ３へ画像データを送信する。このため、コンピュータ２にＵＳＢメモリ４が接続されると、コンピュータ２が有するネットワーク設定情報が、プロジェクタ３に接続されるためのネットワーク設定情報となるだけでなく、このネットワーク設定情報に基づいて、コンピュータ２からプロジェクタ３へ画像データが送信される。従って、コンピュータ２からプロジェクタ３への画像データの転送を容易に行うことができる。その結果、ネットワークを介してプロジェクタ３に接続されたコンピュータ２から画像データを送信して、その画像データに基づく映像を、プロジェクタ３を用いて表示させようとするユーザの利便性を向上させることができる。
【００８１】
（２）コンピュータ２は、ＵＳＢメモリ４内に記憶されたネットワーク設定変更プログラムと画像データ転送プログラムを実行することにより、プロジェクタ３に接続されるためのネットワーク設定情報に変更するとともに、プロジェクタ３へ画像データを送信する。このため、このような動作を行うプログラムをコンピュータ２にインストールする必要がなく、ネットワーク設定変更プログラムや画像データ転送プログラムを記憶部２２に記憶させる必要が無くなり記憶部２２の空き容量を確保することができる。
【００８２】
（３）画像データ転送プログラムには、コンピュータ２と接続されているプロジェクタ３Ａを検索する検索プログラムが含まれている。このため、複数のプロジェクタ３がネットワークを介してコンピュータ２と接続されている場合であっても、コンピュータ２は、画像データ転送プログラムを実行することにより、ネットワークを介して接続された画像データの転送先となるプロジェクタ３Ａを検出することができる。
【００８３】
（４）プロジェクタ３がＵＳＢメモリ４内のプログラムを読み取り可能になったときに、プロジェクタ３は、ＵＳＢメモリ４内の受信設定変更プログラムを実行する。そして、プロジェクタ３は、受信設定変更プログラムを実行することにより、プロジェクタ３が有する所定のネットワーク受信設定情報を、コンピュータ２から送信された画像データを受信するためのネットワーク受信設定情報に変更する。このため、プロジェクタ３にＵＳＢメモリ４が接続されると、プロジェクタ３が有するネットワーク受信設定情報が、コンピュータ２から送信された画像データを受信するためのネットワーク受信設定情報となる。従って、コンピュータ２からプロジェクタ３への画像データを転送する際に、プロジェクタ３が有するネットワーク受信設定情報を変更する必要がある場合であっても、ＵＳＢメモリ４を用いて、ネットワーク受信設定情報を容易に変更することができる。その結果、ネットワークを介してプロジェクタ３に接続されたコンピュータ２から画像データを送信して、その画像データに基づく映像を、プロジェクタ３を用いて表示させようとするユーザの利便性をより向上させることができる。
【００８４】
（５）ネットワーク設定変更プログラム、画像データ転送プログラム、及び受信設定変更プログラムが記憶された記憶媒体は、不揮発性の半導体メモリである。このため、ＵＳＢメモリ４により記憶媒体を構成することができ、記憶媒体がＣＤ−ＲＯＭである場合に比べて、記憶媒体の持ち運びや取り扱いを容易に行うことを可能とすることができる。
【００８５】
（６）コンピュータ２及びプロジェクタ３には、記憶媒体であるＵＳＢメモリ４が接続される汎用の接続端子２７，３８が設けられている。このため、ネットワーク設定変更プログラム、画像データ転送プログラム、及び受信設定変更プログラムが記憶された記憶媒体が接続されるための専用の接続端子をコンピュータ２及びプロジェクタ３に設けることを不要とすることができる。
【００８６】
（７）表示部２５には、コンピュータ２からプロジェクタ３に転送される画像データの転送速度を示す画像が表示されるため、コンピュータ２の表示部２５によりユーザは画像データの転送速度を確認することができる。従って、ユーザは画像データの転送速度を確認できるため、コンピュータ２からプロジェクタ３に画像データを適切に転送するための処置をユーザに喚起することができる。具体的には、例えばコンピュータ２とプロジェクタ３が無線ネットワークを介して接続される場合には、画像データの転送速度が遅いことを示す画像を表示部２５に表示することにより、コンピュータ２またはプロジェクタ３の設置態様を調整するようにユーザに喚起することができる。
【００８７】
（８）画像データは、所定のデータ量を有するファイルとして転送され、ファイルのデータ量と、ファイルを転送するために要した時間とに基づいて、画像データの転送速度を算出することを特徴とする。このため、ファイルを転送するために要した時間でファイルのデータ量を割ることにより画像データの転送速度を算出することができ、ファイル単位ごとに転送速度を算出することができる。
【００８８】
（９）ＵＳＢメモリ４には、画像データの転送速度を算出する転送速度算出プログラムが記憶されているため、コンピュータ２は、ＵＳＢメモリ４内の転送速度算出プログラムを実行することにより、画像データの転送速度を算出することができる。
【００８９】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよい。
【００９０】
・ネットワーク設定変更プログラムや画像データ転送プログラム等のプログラムが、上記実施形態においてはＵＳＢメモリ４に記憶されていたが、このようなプログラムが記憶された記憶媒体はＵＳＢメモリ４に限られるものではない。例えば、上記プログラムが記憶された記憶媒体は、ＣＤ−ＲＯＭ等の光ディスクであってもよい。
【００９１】
なお、上記実施形態においては、ＵＳＢメモリ４がコンピュータ２に接続されたときにＵＳＢメモリ４内のプログラムが実行されたが、記憶媒体がＣＤ−ＲＯＭであれば、例えば補助記憶装置駆動部２４にＣＤ−ＲＯＭが挿入されたときに、ネットワーク設定変更プログラム及び画像データ転送プログラムが実行されるように構成することが可能である。
【００９２】
同様に、記憶媒体がＣＤ−ＲＯＭであれば、プロジェクタ３に補助記憶装置駆動部を設けて、その補助記憶装置駆動部にＣＤ−ＲＯＭが挿入されたときに、受信設定変更プログラムが実行されるように構成することが可能である。
【００９３】
・記憶媒体に記憶されたネットワーク設定変更プログラムと画像データ転送プログラムは、コンピュータ２が記憶媒体内のプログラムを読み取り可能になったときに、それら双方が実行されるのであれば、それぞれ別のプログラムとして作成されていても、１つのプログラムとして作成されていてもよい。
【００９４】
・コンピュータ２は、上記実施形態においては可搬性に優れたラップトップコンピュータであったが、本発明はこれに限定されるものではなく、例えば、コンピュータ２はデスクトップコンピュータであってもよい。
【符号の説明】
【００９５】
Ａ…アクセスポイント、１…映像表示システム、２…コンピュータ、３（３Ａ，３Ｂ，３Ｃ）…プロジェクタ（映像表示装置）、４…ＵＳＢメモリ（記憶媒体）、２１…操作部、２２…記憶部、２３…計時部、２４…補助記憶装置駆動部、２５…表示部、２６…制御部、２７…接続端子、２８…通信部、３１…操作部、３２…記憶部、３３…光源装置、３４…映像生成部、３５…投写レンズ、３６…制御部、３７…通信部、３８…接続端子、４１…接続端子、４２…記憶部、４３…制御部。
【図１】
2010268238.tif 000003
【図２】
2010268238.tif 000004
【図３】
2010268238.tif 000005
【図４】
2010268238.tif 000006
【図５】
2010268238.tif 000007
【図６】
2010268238.tif 000008
【図７】
2010268238.tif 000009
【図８】
2010268238.tif 000010
【図９】
2010268238.tif 000011